(57)【特許請求の範囲】
【請求項１】
並設されたワイヤ群と被加工物との間の放電により前記被加工物を加工するマルチワイヤ放電加工装置であって、
ワイヤ群を走行させるために設けられたローラと、
前記ワイヤ群と前記被加工物との間の放電に用いられる加工液を貯留する加工液槽と、
を備え、
前記加工液槽は、更に、前記加工液槽内に貯留された加工液を加工液槽から前記ローラに供給する供給口を備えることを特徴とするワイヤ放電加工装置。
【請求項２】
前記供給口は、前記ローラの鉛直方向上部に設けられていることを特徴とする請求項１に記載のワイヤ放電加工装置。
【請求項３】
前記加工液槽は、
前記加工液槽内に貯留された加工液が前記供給口から前記ローラに供給される供給量を調整する調整部を更に備えることを特徴とする請求項１乃至２の何れか１項に記載のワイヤ放電加工装置。
【請求項４】
前記調整部は、前記供給口の位置を、前記ローラにワイヤ群が並設される方向に変更する、又は、前記供給口のサイズを、前記ローラにワイヤ群が並設される方向に調整することを特徴とする請求項３に記載のワイヤ放電加工装置。
【請求項５】
前記加工液槽は、前記供給口の位置よりも、前記ワイヤ群の走行方向に関して上流側の前記加工液槽の部位に設けられ、加工液を前記加工液槽内に供給する第１の加工液供給口を更に供え、
前記加工液槽は、前記第１の加工液供給口から供給された加工液を貯留することを特徴とする請求項１乃至４の何れか１項に記載のワイヤ放電加工装置。
【請求項６】
前記加工液槽は、前記第１の加工液供給口から供給された加工液の水流を抑制する第１の水流抑制部を更に備え、
前記第１の水流抑制部は、前記供給口と前記第１の加工液供給口との間の位置に設けられていることを特徴とする請求項５に記載のワイヤ放電加工装置。
【請求項７】
前記加工液槽は、
前記被加工物が加工された加工物を収容する収容部と、
前記加工液槽は、前記供給口と前記収容部との間の位置に、加工液槽内を走行するワイヤ群が挿入される挿入口と、
を更に備えることを特徴とする請求項１乃至６の何れか１項に記載のワイヤ放電加工装置。
【請求項８】
前記挿入口よりも上部に設けられた加工液槽の部材は、前記ワイヤ群の走行による、前記加工液槽内の加工液の前記加工液槽内からの流出を抑止する流出抑制部であることを特徴とする請求項７に記載のワイヤ放電加工装置。
【請求項９】
前記加工液槽は、  前記収容部の下部に、加工液を前記加工液槽内に供給する第２の加工液供給口と、  前記第２の加工液供給口と、前記加工液槽内を走行するワイヤ群との間の位置に、前記第２の加工液供給口から供給された加工液の水流を抑制する第２の水流抑制部と、  を更に備えることを特徴とする請求項７又は８の何れか１項に記載のワイヤ放電加工装置。
【請求項１０】
前記ローラは、前記加工液槽内を前記ワイヤ群が走行させる位置に設けられた第１のローラと第２のローラとを含み、
前記加工液槽は、前記第１のローラと前記第２のローラとの間に設けられ、
前記供給口は、前記第１のローラに、前記加工液槽内に貯留された加工液を供給する第１の供給口と、前記第２のローラに、前記加工液槽内に貯留された加工液を供給する第２の供給口と、を含むことを特徴とする請求項１乃至４の何れか１項に記載のワイヤ放電加工装置。
【請求項１１】
前記第１のローラを回転駆動させる駆動部を更に備え、
前記駆動部は、前記第１のローラを反転駆動させる反転手段を備えることを特徴とする請求項１０に記載のワイヤ放電加工装置。
【請求項１２】
前記ワイヤ群が接触する前記ローラの表面部位は、少なくとも有機化合物の材料を含み構成されていることを特徴とする請求項１乃至１１の何れか１項に記載のワイヤ放電加工装置。
【発明の詳細な説明】
【技術分野】
【０００１】
本発明は、ワイヤ放電加工装置に関し、加工液槽内の加工液を加工液槽からローラに供給することで、ローラを冷却する技術に関する。
【背景技術】
【０００２】
近年、半導体材料や太陽電池材料、硬質材料等の被加工材料を、放電加工により、短時間で同時に複数切り出す方法が開発されている。
【０００３】
たとえば、ワイヤ放電加工装置は、当該被加工材料を薄板状に切り出すために、給電子を介してワイヤに電圧を印加しながら走行させ、そのワイヤに当該被加工材料を近づけることで放電現象を発生させ、当該被加工材料を放電加工するものである。
【０００４】
特許文献１には、走行する複数本のワイヤで被加工物を放電加工することにより、薄片に切断することが記載されている。
【先行技術文献】
【特許文献】
【０００５】
【特許文献１】特開２０１０−２６０１５１号公報
【発明の概要】
【発明が解決しようとする課題】
【０００６】
マルチワイヤ放電加工装置において、給電子から電圧が印加されたワイヤは、電圧が印加されることにより熱を発する。また、ワイヤと被加工物との放電による放電熱や、ワイヤを走行させる際に用いられる接触する各種部材等（給電子やプーリー等）との摩擦による摩擦熱により、ワイヤは、加熱されることとなる。
【０００７】
しかし、ワイヤを走行させるために回転するローラ（例えば、図１に示すメインローラ８、９）の表面は、ワイヤのぶれを低減させ、ワイヤを安定して走行させるため、樹脂などの有機化合物の材料で構成されている。そのため、加熱されたワイヤは、その熱により、ローラの表面を劣化させ、安定したワイヤの走行、及びワイヤのぶれの増大を招くおそれがある。
【０００８】
そこで、放電加工を行う際には、当該ローラを水などで冷却する必要がある。
【０００９】
しかしながら、大きな被加工物を放電加工するためには、その被加工物を加工液に浸けるため、大きな加工液槽が必要となる。
【００１０】
さらに、ワイヤが加工液槽内を走行することにより、ワイヤ上部の加工液槽内の加工液が、加工液槽内から漏れ出してしまう。
【００１１】
また、ワイヤの走行による加工液槽内の加工液の水流の流れが強いと、ワイヤと被加工物との間の放電部に、空気などの気体が入り易くなり、空中放電が行われ易くなってしまうおそれがあった。
【００１２】
そのため、ワイヤが加工液槽内を走行する位置よりも上部の、ワイヤが走行する加工液槽部分を、ワイヤの走行方向に長くして、加工液槽内からの漏れや、ワイヤの走行による加工液槽内の加工液の水流を低減させ、放電部に、空気などの気体を入り難くすることが考えられる。
【００１３】
しかしながら、ワイヤの走行方向に長くした形状の加工液槽を用い、かつ、ローラを冷却するための冷却水を当該ローラに噴射する噴射部材を別で備えると、その噴射部材を設ける空間が新たに必要となり、その空間を確保するために、ローラ間の距離が長くなってしまう。
【００１４】
このように、ローラ間の距離が長くなってしまうと、走行するワイヤ群のぶれが生じやすく、被加工物を適切に放電加工することが出来なくなってしまう。
【００１５】
そのため、ローラ間の距離を出来るだけ短くしつつ、ローラを冷却する仕組みが必要である。
【００１６】
そこで、本発明の目的は、加工液槽内の加工液を加工液槽からローラに供給することで、ローラを冷却する仕組みを提供することである。
【課題を解決するための手段】
【００１７】
本発明は、並設されたワイヤ群と被加工物との間の放電により前記被加工物を加工するマルチワイヤ放電加工装置であって、ワイヤ群を走行させるために設けられたローラと、前記ワイヤ群と前記被加工物との間の放電に用いられる加工液を貯留する加工液槽と、を備え、前記加工液槽は、更に、前記ローラに、前記加工液槽内に貯留された加工液を供給する供給口を備えることを特徴とする。
【発明の効果】
【００１８】
本発明によれば、加工液槽内の加工液を加工液槽からローラに供給することで、ローラを冷却することができる。
【図面の簡単な説明】
【００１９】
【図１】マルチワイヤ放電加工システムを前方から見た正面図である。
【図２】ワイヤ７が巻かれているメインローラ８と、駆動モータ２０により回転するメインローラ９の斜視図の一例である。
【図３】図１に示した加工液槽６の外観の正面図（ａ）、外観の側面図（右側から見た図）（ｂ）、外観の側面図（左側から見た図）（ｃ）の一例を示す図である。
【図４】図３（ｂ）、図３（ｃ）に示した断面３０５での加工液槽６の断面図の一例を示す図である。
【図５】加工液槽６の上面図の一例を示す図である。
【図６】供給口（４０３、４０６）の面積が小さくなるように流量調整部（５０１、５０２）を移動させた加工液槽６の上面図の一例を示す図である。
【図７】流量調整部５０３、流量調整部５０４、流量調整部５０５、流量調整部５０６を備えた加工液槽６の上面図の一例を示す図である。
【図８】流量調整部５０３、流量調整部５０４、流量調整部５０５、流量調整部５０６を備えた加工液槽６の上面図の一例を示す図である。
【図９】加工液槽６の断面３０５での断面図の一例を示す図である。
【図１０】メインローラ８、９の奥行き方向の断面の拡大図の一例を示す。
【発明を実施するための形態】
【００２０】
以下、添付図面を参照して、本発明を好適な実施形態に従って詳細に説明する。
【００２１】
図１は、マルチワイヤ放電加工システムを前方から見た正面図である。
【００２２】
尚、図１に示す各部品、部材などの機構の構成は一例であり、目的や用途に応じて様々な構成例があることは言うまでもない。
【００２３】
本発明の実施の形態に係るマルチワイヤ放電加工システムは、マルチワイヤ放電加工装置１、電源ユニット（電源装置）１５、加工液供給装置１７から構成されている。
【００２４】
マルチワイヤ放電加工システムは、放電により、並設された複数本のワイヤ７（ワイヤ電極）の間隔で被加工物５（例えば、シリコンインゴットなど）を薄片にスライス加工することができる。
【００２５】
マルチワイヤ放電加工装置１は、電源ユニット１５と電線（電圧印加線）を介して接続されており、電源ユニット１５から供給される電力により作動する。
【００２６】
マルチワイヤ放電加工装置１は、不図示のサーボモータにより駆動されるワーク送り装置３が上下方向に移動することにより、ワーク送り装置３に接着剤（接着部４）により接着されている被加工物５を上下方向に移動することができる。
【００２７】
また、マルチワイヤ放電加工装置１は、本発明のワイヤ放電加工装置の適用例であり、並設されたワイヤ７群と被加工物５との間の放電により被加工物を加工する。
【００２８】
本発明の実施の形態では、被加工物５が下方向に移動することで、被加工物５とワイヤ７とが接近し、被加工物５とワイヤ７との間で放電が発生し、被加工物５の放電加工を行う。このとき、被加工物５とワイヤ７との間の空間（放電ギャップ（被加工物５とワイヤ７との間の隙間））には加工液が満たされており、この加工液が所定幅の電気抵抗値を有していることから、被加工物５とワイヤ７との間で放電が発生し、被加工物５の放電加工を行うことができる。
【００２９】
また、ワーク送り装置３をワイヤ７よりも下部へ設け、被加工物５を上方向へ移動させることにより、被加工物５とワイヤ７との間で放電加工を行わせるようにすることも可能である。
【００３０】
本実施の形態では、被加工物５の一例としてシリコンインゴットを用いて説明するが、ＳＩＣ（炭化シリコン）などの、絶縁体ではない他の材料（導体又は半導体）を用いることもできる。
【００３１】
マルチワイヤ放電加工装置１は、図１に示すように、マルチワイヤ放電加工装置１の土台として機能するブロック１８と、ブロック１８の上部の装置内に設置されている、ブロック２と、ワーク送り装置３と、接着部４と、被加工物５と、加工液槽６と、メインローラ８と、ワイヤ７と、メインローラ９と、給電ユニット１０と、給電子１１と、加工液供給口１２と、加工液供給口１３と、加工液供給口１４とを備えている。
ブロック２は、ワーク送り装置３と接合されている。
【００３２】
また、ワーク送り装置３は、被加工物５と接着部４により接着（接合）されている。
【００３３】
本実施例では、被加工材料として、シリコンインゴットを例に説明する。
【００３４】
接着部４は、ワーク送り装置３と、被加工物５とを接着（接合）するためのものであれば何でもよく、例えば、導電性接着剤が用いられる。
【００３５】
ワーク送り装置３は、接着部４により接着（接合）されている被加工物５を上下方向に移動する機構を備えた装置であり、ワーク送り装置３が下方向に移動することにより、被加工物５をワイヤ７に近づけることが可能となる。
【００３６】
給電子１１は、機械的摩耗に強く、導電性があることが要求され超硬合金が使用されている。
【００３７】
給電ユニット１０は、給電子１１を固定して保持するユニットである。
【００３８】
給電ユニット１０は、電源ユニット１５から電線を介して供給される電力（電圧）を給電子１１に供給する。
【００３９】
給電子１１は、給電ユニット１０から介して供給された電圧を、接触しているワイヤ７に供給する。
【００４０】
メインローラの間の中央部の上部に、被加工物５が配置され、被加工物５はワーク送り装置３に取付けられており、ワーク送り装置３が上下方向に移動することにより、被加工物５が上下方向に移動し、被加工物５の加工を行う。
【００４１】
また、メインローラ間の中央部に加工液槽６を設け、ワイヤ７および被加工物５を加工液槽６に浸漬し、放電加工部の冷却、加工チップの除去を行う。
【００４２】
メインローラ９、メインローラ８は、それぞれ、加工液槽６内を、ワイヤ群を走行させる位置に設けられた第１のローラ、第２のローラの適用例である。
【００４３】
加工液槽６は、メインローラ９（第１のローラ）とメインローラ８（第２のローラ）との間に設けられている。
【００４４】
また、加工液槽６は、メインローラ９（第１のローラ）に、加工液槽６内に貯留された加工液を供給する供給口４０６（第１の供給口）と、メインローラ８（第２のローラ）に、加工液槽６内に貯留された加工液を供給する供給口４０３（第２の供給口）とを備えている。
【００４５】
ワイヤ７は、メインローラ８、９に取り付けられ、メインローラ８、９の上側、及び下側にワイヤ列を形成している。
【００４６】
また、ワイヤ７は、伝導体であり、電源ユニット１５から電圧が供給された給電ユニット１０の給電子１１と、ワイヤ７とが接触することにより、当該供給された電圧が給電子１１からワイヤ７に印加される。
【００４７】
そして、ワイヤ７と、被加工物５との間で放電が起き、被加工物５を削り（放電加工を行い）、薄板状のシリコン（シリコンウエハ）（加工物）を作成することが可能となる。
【００４８】
加工液槽６は、加工液を溜めるための容器である。加工液は、例えば、抵抗値が高い脱イオン水である。ワイヤ７と、被加工物５との間に、加工液が設けられることにより、ワイヤ７と、被加工物との間で放電が発生し、被加工物５を削ることが可能となる。
【００４９】
加工液槽６は、本発明の加工液槽の適用例であり、加工液供給口１２、加工液供給口１４、加工液供給口１３（第１の加工液供給口）から供給された加工液を貯留する。そして、この加工液は、ワイヤ群と前記被加工物との間の放電に用いられる。
【００５０】
１５は、電源ユニット（電源装置）であり、３は、サーボモータを制御する放電サーボ制御回路が放電の状態に応じて効率よく放電を発生させるために放電ギャップを一定の隙間に保つように制御し、また被加工物５の位置決めを行い、放電加工を進行させる。
【００５１】
１７は、加工液供給装置であり、放電加工部の冷却、加工チップ（屑）の除去に必要な加工液をポンプにより被加工物５とワイヤ７へ送液すると共に、加工液中の加工チップの除去、イオン交換樹脂による比抵抗または電導度（１μＳ〜２５０μＳ）の管理、液温（２０℃付近）の管理を行う。
【００５２】
加工液には、主に水が使用されるが、放電加工油を用いることもできる。本実施の形態では、加工液の例として水を用いるが、放電加工油でもよい。
【００５３】
８，９はメインローラであり、メインローラには、所望する厚さで加工出来るようにあらかじめ決められたピッチ、数で溝１０１（図１０）が形成されており、ワイヤ供給ボビンからの張力制御されたワイヤ７が２つのメインローラに必要数巻きつけられ、巻き取りボビンへ送られる。メインローラ８、９の回転によるワイヤ７の走行速度は１００ｍ／ｍｉｎから９００ｍ／ｍｉｎ程度である。
【００５４】
メインローラ８、メインローラ９は、本発明のローラの適用例であり、ワイヤ群を走行させるために設けられている。
【００５５】
メインローラ９は、メインローラ９が回転することによりメインローラ９に巻きつけられたワイヤ７を走行させる。
【００５６】
２つのメインローラが同じ方向でかつ同じ速度で連動して回転することにより、ワイヤ繰出し部から送られた１本のワイヤ７がメインローラ（２つ）の外周を周回し、並設されている複数本のワイヤ７を同一方向に走行させることができる。
【００５７】
ワイヤ７は、１本の繋がった同一のワイヤであり、図示しないボビンから繰り出され、メインローラ８、９の外周面のガイドとなる溝に嵌め込まれながら、当該メインローラの外側に多数回（最大で２０００回程度）螺旋状に巻回された後、図示しないボビンに巻き取られる。
【００５８】
図１０は、メインローラ８、９の奥行き方向（前後方向）の断面の拡大図の一例を示す。
【００５９】
図１０に示すように、メインローラ８、９は、複数の溝１０１を有し、その溝１０１に、ワイヤ７がはめられて、ワイヤ７のぶれやずれを低減させると共に、ワイヤ７が走行できるように構成されている。
【００６０】
メインローラにワイヤ７が複数回巻きつけられており、メインローラに刻まれた溝１０１に従い、所定ピッチでワイヤ７が整列している。
【００６１】
メインローラ８、９は中心に金属を使用し、外側は樹脂で覆う構造である。
【００６２】
すなわち、ワイヤ群が接触するメインローラ８、９の表面部位は、少なくとも有機化合物の材料を含み構成されている。
【００６３】
また、ここで、メインローラ８、９の回転動作の仕組みについて説明する。
【００６４】
図２は、ワイヤ７が巻かれているメインローラ８と、駆動モータ２０により回転するメインローラ９について説明する。
【００６５】
駆動モータ２０は、メインローラ９（第１のローラ）を回転駆動させる駆動部の適用例であり、メインローラ９（第１のローラ）を反転駆動させる反転手段を備えている。
【００６６】
メインローラ９（第１のローラ）を反転駆動させると、ワイヤの走行方向が反転するため、メインローラ（第２のローラ）も反転する。
【００６７】
図２は、ワイヤ７が巻かれているメインローラ８と、駆動モータ２０により回転するメインローラ９の斜視図の一例である。
ワイヤ７は、被加工物との放電に用いられるワイヤである。
【００６８】
メインローラ９は、ローラを回転させる駆動モータ２０（駆動部）と接続され、駆動モータ２０による駆動により回転する。
【００６９】
この駆動モータ２０（駆動部）は、メインローラ９の回転方向を反転する（逆方向に回転する）反転手段を有している。
【００７０】
また、メインローラ８は、駆動モータ２０と接続されていないローラであって、駆動モータ２０による駆動によりメインローラ９が回転することで走行するワイヤ７により回転する。
図１の説明に戻る。
【００７１】
加工液槽６は、所定の範囲の比抵抗（電気伝導度）に管理されたイオン交換水（脱イオン水）を貯留し、イオン交換水（脱イオン水）を並設されたワイヤ７（ワイヤ電極とも言う）と被加工物５とが近接する放電ギャップの位置（放電点）に加工液として供給している。
【００７２】
加工液槽６は、被加工物５とワイヤ７との間で放電加工されるために用いられる加工液が貯留される。
【００７３】
また、加工液槽６は、加工液槽６に加工液が供給される加工液供給口を、３箇所備えている。
【００７４】
具体的には、加工液供給口１２、加工液供給口１３、加工液供給口１４の３箇所である。
【００７５】
加工液供給口１２、加工液供給口１３、加工液供給口１４には、加工液供給装置１７から供給された脱イオン水が供給される。
【００７６】
そして、加工液供給口１２、加工液供給口１３、加工液供給口１４を介して、加工液槽６に脱イオン水が供給される。
【００７７】
ここで供給される脱イオン水は、加工液槽６に貯留されている加工液と同一、又はほぼ同一の比抵抗を有する加工液である。
【００７８】
加工液供給口１２は、加工液槽６の左側上部に配置されている。
【００７９】
すなわち、加工液供給口１２は、メインローラ８の回転軸よりも左側の上部に位置している。
【００８０】
また、加工液供給口１３、加工液槽６の右側上部に配置されている。
【００８１】
すなわち、加工液供給口１３は、メインローラ９の回転軸よりも右側の上部に位置している。
【００８２】
加工液供給口１３は、本発明の第１の加工液供給口の適用例であり、供給口４０６の位置よりも、ワイヤ群の走行方向に関して上流側の加工液槽６の部位に設けられ、加工液を加工液槽６内に供給する。
【００８３】
加工液供給口１４は、加工液槽６の下部の左右に関して中央の位置に位置している。
【００８４】
加工液供給口１４は、本発明の第２の加工液供給口の適用例であり、収容部９０２の下部に、加工液を加工液槽６内に供給する。
次に、図３について、説明する。
【００８５】
図３は、図１に示した加工液槽６の外観の正面図（ａ）、外観の側面図（右側から見た図）（ｂ）、外観の側面図（左側から見た図）（ｃ）の一例を示す図である。
【００８６】
図３（ａ）に示すように、加工液槽６は、左右対称の形状（構造）である。図３（ａ）に示す頂点（Ａ点、Ｂ点、Ｃ点、Ｄ点、Ｅ点）をもとに、他の部材、部品などの機構の配置位置を説明する。
【００８７】
図３（ｂ）は、図１に示した加工液槽６の外観の側面図（右側から見た図）の一例である。
【００８８】
また、図３（ｃ）は、図１に示した加工液槽６の外観の側面図（左側から見た図）の一例である。
【００８９】
加工液槽６は、図３（ｂ）、図３（ｃ）に示すように、Ｃ点からＤ点との間の傾斜部３０２に、ワイヤ７群が挿入し走行するワイヤ群挿入口（３０３、３０１）を備えている。
【００９０】
ワイヤ群挿入口３０１は、供給口４０６と、後述する収容部９０２との間の位置に設けられ、加工液槽６内を走行するワイヤ群が挿入される挿入口として機能する。
【００９１】
図４は、図３（ｂ）、図３（ｃ）に示した断面３０５での加工液槽６の断面図の一例を示す図である。
【００９２】
図４に示すように、加工液供給口１２、加工液供給口１３から、加工液槽６内に、加工液を供給する。
【００９３】
また、加工液槽６は、加工液供給口１２から供給された加工液の水流を抑制する水流抑制部４０２として、加工液を供給する穴（供給口４０１）を複数有する水流抑制板を備えている。
【００９４】
また、加工液槽６は、加工液供給口１３から供給された加工液の水流を抑制する水流抑制部４０７として、加工液を供給する穴（供給口４０８）を複数有する水流抑制板を備えている。
【００９５】
水流抑制部４０７は、本発明の第１の水流抑制部の適用例であり、加工液供給口１３（第１の加工液供給口）から供給された加工液の水流を抑制する。
【００９６】
そして、水流抑制部４０７は、供給口４０６と加工液供給口１３（第１の加工液供給口）との間の位置に設けられている。
【００９７】
このように、水流抑制部４０２により、加工液供給口１２からの加工液が供給口４０１で分散され、加工液が加工液槽内に供給されるため、加工液の水流が抑制（低減）され、加工液槽内の水流によるワイヤ群のぶれを低減させることができる。
【００９８】
また、水流抑制部４０７により、加工液供給口１３からの加工液が供給口４０８で分散され、加工液が加工液槽内に供給されるため、加工液の水流が抑制（低減）され、加工液槽内の水流によるワイヤ群のぶれを低減させることができる。
【００９９】
また、水流抑制部４０７により、加工液の水流が抑制（低減）された状態で、供給口４０６から加工液がメインローラ９に落下するので、過剰に加工液がメインローラ９に落下するのを防止することができる、又は極端に加工液がメインローラ９に落下する量が減ることを防止し、適量の加工液が供給口４０６からメインローラ９に落下することができる。
【０１００】
また、加工液が供給口４０６からメインローラ９に落下すると、メインローラ９の回転により走行するワイヤ群により加工液槽６内に、当該落下した加工液がワイヤ群挿入口３０１を介して運ばれて（供給されて）、加工液内に供給されるため、加工液の無駄を防止することもできる。
【０１０１】
また、加工液槽６は、Ｂ点からＣ点の間に、加工液槽６内の加工液をワイヤ群と接触するメインローラに供給する供給口４０６、供給口４０３を備えている。
【０１０２】
すなわち、加工液槽６は、加工液槽６内に貯留された加工液を加工液槽６からメインローラに供給する供給口（４０６、４０３）を備えている。
【０１０３】
この供給口４０６、供給口４０３から、それぞれ、メインローラ９、メインローラ８に加工液槽６内の加工液が落ちて供給されることで、ワイヤ群により加熱した各メインローラを冷却することができる。
【０１０４】
供給口４０６は、メインローラ９の鉛直方向上部に設けられており、また、供給口４０３は、メインローラ８の鉛直方向上部に設けられている。
【０１０５】
また、加工液槽６は、Ｃ点からＤ点との間の傾斜部３０２に、ワイヤ７群が加工液槽６内に入り走行するためのワイヤ群挿入口（３０３、３０１）を備えている。
【０１０６】
また、加工液槽６は、加工液供給口１４から供給された加工液の水流を抑制する水流抑制部４０４として、加工液を供給する穴（供給口４０５）を複数有する水流抑制板を備えている。
【０１０７】
水流抑制部４０４は、本発明の第２の水流抑制部の適用例であり、加工液供給口１４（第２の加工液供給口）と、加工液槽６内を走行するワイヤ群との間の位置に、加工液供給口１４（第２の加工液供給口）から供給された加工液の水流を抑制する。
【０１０８】
水流抑制部４０４により、加工液供給口１４からの加工液の水流が分散され、複数の供給口４０５から加工液槽内に供給されるため、加工液供給口１４からの加工液の水流が抑制（低減）され、加工液槽内の水流によるワイヤ群のぶれを低減させることができる。
【０１０９】
次に、図５を用いて、加工液槽６の上面図について説明する。
図５は、加工液槽６の上面図の一例を示す図である。
【０１１０】
図５に示すように、加工液槽６は、Ｂ点と、水流抑制部４０２との間に、加工液供給口１２を備えている。
【０１１１】
また、加工液槽６は、Ｂ点と、水流抑制部４０７との間に、加工液供給口１３を備えている。
【０１１２】
また、水流抑制部４０２とＣ点との間に、供給口４０３を備えている。
【０１１３】
また、供給口４０３には、供給口４０３による加工液のメインローラ８への供給量を調整するために設けられた部材として、流量調整部５０１を備えている。
【０１１４】
流量調整部５０１は、供給口４０３の面積を小さくしたり、広くしたりすることで、メインローラ８への加工液の供給量を調整する板である。
【０１１５】
この流量調整部５０１を、ユーザの（手動）操作により移動させることで、供給口４０３の面積を小さくしたり、広くしたりすることができる。
【０１１６】
また、水流抑制部４０７とＣ点との間に、供給口４０６を備えている。
【０１１７】
また、供給口４０６には、供給口４０６による加工液のメインローラ９への供給量を調整するために設けられた部材として、流量調整部５０２を備えている。
【０１１８】
流量調整部５０２は、供給口４０６の面積を小さくしたり、広くしたりすることで、メインローラ９への加工液の供給量を調整する板である。
【０１１９】
この流量調整部５０２を、ユーザの（手動）操作により移動させることで、供給口４０６の面積を小さくしたり、広くしたりすることができる。
【０１２０】
図６は、供給口（４０３、４０６）の面積が小さくなるように流量調整部（５０１、５０２）を移動させた加工液槽６の上面図の一例を示す図である。
【０１２１】
図６に示すように、供給口（４０３、４０６）の面積が小さくなるように流量調整部（５０１、５０２）を移動させることで、供給口（４０３、４０６）の面積を小さくなり、供給口（４０３、４０６）による加工液のメインローラ（８、９）への供給量を減らすことができる。
【０１２２】
このように、流量調整部（５０１、５０２）により、供給口（４０３、４０６）からメインローラ（８、９）への加工液の供給量を調整できるため、例えば、加工液槽内の加工液が少ない場合には、供給口（４０３、４０６）からメインローラ（８、９）への加工液の供給量を少なくなるように調整し、加工液槽内の加工液が多い場合には、供給口（４０３、４０６）からメインローラ（８、９）への加工液の供給量を多くするように調整することが可能となる。
【０１２３】
また、供給口４０３、供給口４０６は、それぞれ、メインローラ８、メインローラ９の幅（ワイヤ群が並設される方向のローラの長さ）、又は当該幅以上の長さを有する。
【０１２４】
また、ワイヤ群挿入口（３０３、３０１）、水流抑制部４０４の説明は、上述の通りであるため、ここでは、説明を省略する。
【０１２５】
次に、図７を用いて、更に、流量調整部５０３、流量調整部５０４、流量調整部５０５、流量調整部５０６を備えた加工液槽６の上面図について説明する。
【０１２６】
流量調整部５０１、流量調整部５０２、流量調整部５０３、流量調整部５０４、流量調整部５０５、流量調整部５０６は、本発明の調整部の適用例であり、流量調整部５０１、流量調整部５０３、流量調整部５０４は、加工液槽６内に貯留された加工液が供給口４０３からメインローラ８に供給される供給量を調整する部である。
【０１２７】
また、流量調整部５０２、流量調整部５０５、流量調整部５０６は、加工液槽６内に貯留された加工液が供給口４０６からメインローラ９に供給される供給量を調整する部である。
【０１２８】
図７は、更に、流量調整部５０３、流量調整部５０４、流量調整部５０５、流量調整部５０６を備えた加工液槽６の上面図の一例を示す図である。
【０１２９】
流量調整部５０３、流量調整部５０４、流量調整部５０５、流量調整部５０６は、供給口４０３の面積を、更に調整する部材である。
【０１３０】
流量調整部５０１、流量調整部５０２は、それぞれ、供給口４０３、供給口４０６の左右方向の長さを調整することは出来たが、供給口４０３、供給口４０６の前後方向の長さを調整することは出来なかった。
【０１３１】
ここで、前後方向とは、マルチワイヤ放電加工装置１を前方から見て前後方向（メインローラ８、メインローラ９の幅方向（ワイヤ群が並設される方向））のことである。
【０１３２】
そこで、流量調整部５０３、流量調整部５０４、流量調整部５０５、流量調整部５０６は、供給口４０３、供給口４０６の前後方向の長さを調整する。
【０１３３】
すなわち、流量調整部５０３、流量調整部５０４、流量調整部５０５、流量調整部５０６は、それぞれ、メインローラ８、メインローラ９の幅方向（ワイヤ群が並設される方向）の加工液の供給量、及び供給位置を調整するものである。
【０１３４】
流量調整部５０３、流量調整部５０４は、図７に通り、供給口４０３の前後方向（メインローラ８、メインローラ９の幅方向（ワイヤ群が並設される方向））の両端に設けられ、スライドするシャッターである。
【０１３５】
また、流量調整部５０５、流量調整部５０６は、図７に通り、供給口４０６の前後方向（メインローラ８、メインローラ９の幅方向（ワイヤ群が並設される方向））の両端に設けられ、スライドするシャッターである。
【０１３６】
流量調整部５０３、流量調整部５０４、流量調整部５０５、流量調整部５０６は、それぞれ、独立して、前後方向（メインローラ８、メインローラ９の幅方向（ワイヤ群が並設される方向））にスライドして移動することができる。
【０１３７】
これにより、主として、ワイヤ群が嵌められたメインローラ（８、９）の部位に対して、加工液を供給することができ、ワイヤ群が嵌められたメインローラ（８、９）の部位を冷やすことが出来ると共に、放電加工で用いられる加工液を加工液槽６内に貯め易くなる。
【０１３８】
このように、流量調整部５０３、流量調整部５０４は、本発明の調整部の適用例であり、供給口４０３の位置を、メインローラ８にワイヤ群が並設される方向に変更する、又は、供給口４０３のサイズを、メインローラ８にワイヤ群が並設される方向に調整（変更）する。
【０１３９】
また、流量調整部５０５、流量調整部５０６は、本発明の調整部の適用例であり、供給口４０６の位置を、メインローラ９にワイヤ群が並設される方向に変更する、又は、供給口４０６のサイズを、メインローラ９にワイヤ群が並設される方向に調整（変更）する。
【０１４０】
図７は、ワイヤ群挿入口３０３、ワイヤ群挿入口３０１に、２０本のワイヤ群が入り走行している様子を示している。
【０１４１】
そのため、図７の流量調整部５０３、流量調整部５０４、流量調整部５０５、流量調整部５０６は、２０本のワイヤ群が巻かれたメインローラの部位を冷やすために、供給口４０３、供給口４０６の前後方向の長さを、その本数に応じた長さになるように調整している。
【０１４２】
また、図８は、ワイヤ群挿入口３０３、ワイヤ群挿入口３０１に、７本のワイヤ群が入り走行している様子を示している。
【０１４３】
そのため、図８の流量調整部５０３、流量調整部５０４、流量調整部５０５、流量調整部５０６は、７本のワイヤ群が巻かれたメインローラの部位を冷やすために、供給口４０３、供給口４０６の前後方向の長さを、その本数に応じた長さになるように調整している。
【０１４４】
すなわち、流量調整部５０３、流量調整部５０４、流量調整部５０５、流量調整部５０６により、ワイヤ群が巻かれたメインローラの部位に、加工液槽６内の加工液が供給されるように、供給口（４０３、４０６）の位置を変えることができると共に、その供給量を調整することが可能となる。ワイヤ群が巻かれていないメインローラの部位には、加工液を供給しないようにすることができる。
【０１４５】
図９は、加工液槽６の断面３０５での断面図の一例を示す図である。
【０１４６】
メインローラ８、メインローラ９は、いずれも、左回転しており、ワイヤ７も、その回転方向に応じた方向に走行している。
【０１４７】
加工液槽６は、加工液供給口１４、加工液供給口１２、加工液供給口１３から加工液が供給され、水流抑制部４０２、水流抑制部４０７、水流抑制部４０４を介して、被加工物５とワイヤ７との間で放電が行われる放電部の方向に、当該加工液が流れる。
【０１４８】
そして、供給口４０３から、メインローラ８に、加工液槽６内の加工液が落ちて供給されるため、ワイヤ群が巻かれたメインローラ８の部位を冷やすことができる。
【０１４９】
また、供給口４０６から、メインローラ９に、加工液槽６内の加工液が落ちて供給されるため、ワイヤ群が巻かれたメインローラ９の部位を冷やすことができる。
【０１５０】
図９に示す流出抑制部９０１は、ワイヤ群挿入口（３０１、３０３）よりも上部の加工液槽６の部位である。
【０１５１】
すなわち、流出抑制部９０１は、ワイヤ群挿入口３０１よりも上部に設けられた加工液槽の部材は、ワイヤ群の走行による、加工液槽６内の加工液の加工液槽６内からの流出を抑止する流出抑制部である。
【０１５２】
流出抑制部９０１は、加工液槽６内に貯留される加工液の加工液槽６からの流出を抑制する。
【０１５３】
すなわち、流出抑制部９０１は、加工液槽６内の加工液が、ワイヤ群が走行している方向に運び出され、加工液槽６の外に運び出されるのを防ぎ、被加工物５とワイヤ群との間の隙間（放電ギャップ）に、放電加工に必要な加工液の水量を確保することができるようになる。
【０１５４】
流出抑制部９０１は、放電発生部である、被加工物５とワイヤ７との間（放電ギャップ）に、放電加工に必要な加工液の量を確保するために設けられており、加工液槽６内に貯留される加工液の水位をワイヤ群よりも上位になるように貯留し、ワイヤが走行することによる、加工液槽６内の加工液の加工液槽６外への流出量を減らすように機能する。
【０１５５】
また、ワイヤ７が走行することによる、加工液槽６内の加工液の加工液槽６外への流出量を減らすことができるため、放電発生部である、被加工物５とワイヤ７との間（放電ギャップ）に、放電加工に必要な加工液の量を確保することが出来るようになり、放電加工を安定して行うことができ被加工物への欠陥の発生を防ぐことが可能となる。
【０１５６】
被加工物５とワイヤ７との間の隙間に、放電加工に必要な加工液の量を確保するために、この冷却水としての加工液を利用する。
【０１５７】
メインローラ８、９（ガイドローラとも言う）には、ワイヤ７を取り付けるための溝１０１が複数列形成されており、その溝にワイヤ７が取り付けられている。そして、メインローラ８、９が右又は左回転（反転）することにより、ワイヤ７が走行する。
【０１５８】
図９に示す収容部９０２は、被加工物５が加工された加工物を収容する収容部として機能する加工液槽６の部位である。
【０１５９】
以上、本発明によれば、加工液槽内の加工液を加工液槽からローラに供給することで、ローラを冷却することができる。
【符号の説明】
【０１６０】
１    マルチワイヤ放電加工装置
２    ブロック
３    ワーク送り装置
４    接着部
５    被加工物
６    加工液槽
７    ワイヤ
８    メインローラ
９    メインローラ
１０    給電ユニット
１１    給電子
１２    加工液供給口
１３    加工液供給口
１４    加工液供給口
１５    電源ユニット
１７    加工液供給装置
１８    ブロック
【図１】
0006442743.tif 000002
【図２】
0006442743.tif 000003
【図３】
0006442743.tif 000004
【図４】
0006442743.tif 000005
【図５】
0006442743.tif 000006
【図６】
0006442743.tif 000007
【図７】
0006442743.tif 000008
【図８】
0006442743.tif 000009
【図９】
0006442743.tif 000010
【図１０】
0006442743.tif 000011